(57)【要約】【課題】仮設用の足場等に足場板を載置することができると共に、安全ネットを装着することができ、また足場板の不要時には邪魔にならないようにすることができ、しかも他の工事現場等に搬送する場合に非常に搬送し易い足場用ブラケットを提供する。【解決手段】足場Ｆの縦パイプＰに着脱自在に取り付けられるクランプ４を上下部に固着した連結体１の上下方向にスリット孔５を形成し、このスリット孔５にスライド自在として水平支持体２の基端部２ａを軸支すると共に、前記スリット孔５にスライド自在として傾斜体３の基端部３ａを軸支し、前記水平支持体２の先端部２ｂに前記傾斜体３の先端部３ｂを軸支し、前記水平支持体２の内部にこの水平支持体２の先端から突出可能としたスライド支持体６を挿入し、このスライド支持体６の先端部６ａまたは前記連結体１の上端部１ａに安全ネットＮの係止体７を設けたものとしている。【選択図】        図１
2004238813.tif 000002
【特許請求の範囲】
【請求項１】
足場（Ｆ）の縦パイプ（Ｐ）に着脱自在に取り付けられるクランプ（４）を上下部に固着した連結体（１）の上下方向にスリット孔（５）を形成し、このスリット孔（５）にスライド自在として水平支持体（２）の基端部（２ａ）を軸支すると共に、前記スリット孔（５）にスライド自在として傾斜体（３）の基端部（３ａ）を軸支し、前記水平支持体（２）の先端部（２ｂ）に前記傾斜体（３）の先端部（３ｂ）を軸支し、前記水平支持体（２）の内部にこの水平支持体（２）の先端から突出可能としたスライド支持体（６）を挿入し、このスライド支持体（６）の先端部（６ａ）または前記連結体（１）の上端部（１ａ）に安全ネット（Ｎ）の係止体（７）を設けたことを特徴とする足場用ブラケット。
【請求項２】
前記連結体（１）に、前記水平支持体（２）が水平状態のときこの水平支持体（２）の基端部（２ａ）を支持する支持部材（８）を突設したことを特徴とする請求項１記載の足場用ブラケット。
【請求項３】
前記係止体（７）を、連結体（１）の上端部（１ａ）の両側に、それぞれ内側方向に曲げて鉤状とした係止体（７ａ）とするか、またはスライド支持体（６）の先端部（６ａ）の両側に、それぞれ内側方向に曲げて鉤状とした係止体（７ｂ）としたことを特徴とする請求項１記載の足場用ブラケット。
【発明の詳細な説明】
【０００１】
【発明の属する技術分野】
この発明は、仮設用の足場等に足場板を載置すると共に、安全ネットを装着することのできる足場用ブラケットに関するものである。
【０００２】
【従来の技術】
ビルなどの建造物の構築、外壁修理あるいは塗装などの工事において、建造物の外壁に沿うようにして仮設用の足場が設置される。そして、その足場には足場用ブラケットが取り付けられ、この足場用ブラケットには足場板を載置して、建造物と仮設用足場の隙間をなくし、工事の安全性を図っている。
【０００３】
従来、このような足場用ブラケットとしては、例えば本出願人等が出願したもので、図７に示したように足場の縦パイプＰ、Ｐ間に支持金具Ａを取り付け、これら支持金具Ａ…の水平捍２１に足場板Ｆｐを載置固定するものが存在する。支持金具Ａは、水平捍２１と垂直捍２２並びにこれら水平捍２１の一端と垂直捍２２の下端を連結する補強捍２３とからなっている。そして、縦パイプＰ、Ｐに支持金具Ａのクランプ２４、２４をそれぞれナット２５により締め付け水平捍２１を水平に保持し、隣接する各水平捍２１に足場板Ｆｐの嵌合部材２６を外嵌して保持するようにしている（特許文献１参照）。
【０００４】
また、前記仮設用の足場の周囲には、安全ネットをそれ専用のブラケットを用いて装着して、建造物と仮設用足場の間をそのネットで遮断して、工事の安全性を図っている。
【０００５】
従来、このような安全ネット用ブラケットとしては、例えば図８、９に示したように、建造物の外壁に沿うように組み付けられた仮設用の足場の縦パイプＰに着脱自在に取り付けられるクランプ３１が設けられた枠本体３２と、アウターパイプ３３ａ内にインナーパイプ３３ｂが抜止め状態でスライド可能に挿入されて伸縮を行うと共に、起立状態および水平状態を維持するように前記枠本体３２に回動可能に取り付けられたアーム部材３３と、前記インナーパイプ３３ｂのスライドをロックしてアーム部材３３の伸縮調整を行うロック部材３４と、安全ネットが係止されるように前記枠本体３２とアーム部材３３とに取り付けられたフック金具３５とを備えたものとしている（特許文献２参照）。
【０００６】
【特許文献１】
実願昭５４−１３８９１３号（実開昭５６−５５４４４号）のマイクロフィルム（第２、３頁、第１図）
【特許文献２】
実公平７−６３７３号公報（第１、第２、３図）
【０００７】
【発明が解決しようとする課題】
しかしながら、上記したような従来の足場用ブラケットでは、足場板Ｆｐが不要になってこの足場板Ｆｐを取り外した場合にも、垂直捍２２から水平方向に突出したままの状態になっており、工事現場での作業に邪魔になることがあるという課題を有していた。さらに、この従来の足場用ブラケットでは、仮設用足場から取り外して、他の工事現場等に搬送する場合に、折り畳むことができず、嵩張って搬送し難いという課題を有していた。また、この従来の足場用ブラケットでは、安全ネットの係止構造を有しておらず、この足場用ブラケットを用いて建造物と仮設用足場の間を安全ネットで遮断することができないという課題を有していた。
【０００８】
さらに、上記したような従来の安全ネット用ブラケットでは、安全ネットを都合良く係止することができるが、アウターパイプ３３ａやインナーパイプ３３ｂが強度性に欠けていため、これらの上に足場板を載置することはできないという課題を有していた。
【０００９】
そこで、この発明は、上記従来の課題を解決するものであり、仮設用の足場等に足場板を載置することができると共に、安全ネットを装着することができ、また足場板の不要時には邪魔にならないようにすることができ、しかも他の工事現場等に搬送する場合に非常に搬送し易い足場用ブラケットを提供することを目的としてなされたものである。
【００１０】
【課題を解決するための手段】
そのため、この発明の足場用ブラケットは、足場Ｆの縦パイプＰに着脱自在に取り付けられるクランプ４を上下部に固着した連結体１の上下方向にスリット孔５を形成し、このスリット孔５にスライド自在として水平支持体２の基端部２ａを軸支すると共に、前記スリット孔５にスライド自在として傾斜体３の基端部３ａを軸支し、前記水平支持体２の先端部２ｂに前記傾斜体３の先端部３ｂを軸支し、前記水平支持体２の内部にこの水平支持体２の先端から突出可能としたスライド支持体６を挿入し、このスライド支持体６の先端部６ａまたは前記連結体１の上端部１ａに安全ネットＮの係止体７を設けたものとしている。
【００１１】
さらに、この発明の足場用ブラケットは、前記連結体１に、前記水平支持体２が水平状態のときこの水平支持体２の基端部２ａを支持する支持部材８を突設したものとしている。
【００１２】
また、この発明の足場用ブラケットは、前記係止体７を、連結体１の上端部１ａの両側に、それぞれ内側方向に曲げて鉤状とした係止体７ａとするか、またはスライド支持体６の先端部６ａの両側に、それぞれ内側方向に曲げて鉤状とした係止体７ｂとしている。
【００１３】
【発明の実施の形態】
以下、この発明の足場用ブラケットを、実施の形態として示した図面に基づいて詳細に説明する。
【００１４】
この発明の足場用ブラケットは、図１〜４に示したように、連結体１、水平支持体２および傾斜体３よりなる。連結体１は、建造物Ｂの外壁に沿うように設置された仮設用の足場Ｆの縦パイプＰに着脱自在に取り付けられるクランプ４を上下部に固着したものとしており、上下方向にスリット孔５を形成したものとしている。水平支持体２は、前記連結体１のスリット孔５にスライド自在として、その基端部２ａを軸支したものとしている。傾斜体３は、前記連結体１のスリット孔５にスライド自在として、その基端部３ａを軸支したものとしている。そして、水平支持体２の先端部２ｂに傾斜体３の先端部３ｂを軸支し、水平支持体２の内部にこの水平支持体２の先端から突出可能としたスライド支持体６を挿入したものとしている。そして、このスライド支持体６の先端部６ａまたは前記連結体１の上端部１ａに、安全ネットＮの係止体７を設けたものとしている。
【００１５】
前記連結体１は、例えば溝形鋼などからなり、背面１ｂの上下部に前記クランプ４を固着したものとし、両側面１ｃの上下方向にそれぞれ前記スリット孔５を形成したものとしている。さらに、この連結体１の両側面１ｃの上部には、前記水平支持体２が水平状態のときこの水平支持体２の基端部２ａを支持する支持部材８を突設したものとしている。
【００１６】
前記水平支持体２は、例えば鋼管などからなり、その基端部２ａを前記連結体１のスリット孔５に軸支するにはボルトｂとナットｎによっており、ナットｎを緩めたり締め付けることによりスリット孔５への軸支具合を調整できるようにしている。さらに、この水平支持体２の先端部２ｂには、水平支持体２内に向けて突起９を設けたものとし、この突起９をスライド支持体６の長さ方向に形成したスリット溝１０に沿わせたものとしている。また、水平支持体２の先端部には、止ボルト１１を設けたものとし、この止ボルト１１により、スライド支持体６を水平支持体２から突出した状態、または水平支持体２内に挿入した状態にして止着しておけるようにしている。
【００１７】
前記傾斜体３は、例えば鋼管などからなり、その基端部３ａを前記連結体１のスリット孔５に軸支するにはボルトｂとナットｎによっており、ナットｎを緩めたり締め付けることにより、スリット孔５への軸支具合を調整できるようにしている。さらに、この傾斜体３の先端部３ｂを前記水平支持体２の先端部２ｂに軸支するにはボルトｂとナットｎによっており、ナットｎを緩めたり締め付けることにより、水平支持体２への軸支具合を調整できるようにしている。
【００１８】
前記スライド支持体６は、例えば鋼管などからなり、その胴部６ｂの両側または片側に前記スリット溝１０を形成したものとしている。
【００１９】
前記係止体７は、連結体１の上端部１ａの両側に、それぞれ内側方向に曲げて鉤状とした係止体７ａとしたり、スライド支持体６の先端部６ａの両側に、それぞれ内側方向に曲げて鉤状とした係止体７ｂとしており、安全ネットＮの端部を係止できるようにしている。そして、この係止体７は、前記連結体１の上端部１ａとスライド支持体６の先端部６ａの両方に設けたものとしても、何れか一方に設けたものとしてもよい。
【００２０】
以上のように構成したこの発明の足場用ブラケットは、図５、６に示したように、例えば建造物Ｂの外壁に沿うように設置された仮設用の足場Ｆの縦パイプＰに取り付けられた状態では、図１、２に示したように、水平支持体２を水平状態にして、スライド支持体６をその水平支持体２の先端から突出させた状態にし、止ボルト１１によりスライド支持体６をその状態で止着しておく。そして、この状態で、水平支持体２とスライド支持体６に、図６に示したように、足場板Ｆａの一端を支持し、隣接する水平支持体２とスライド支持体６に、足場板Ｆａのもう一端を支持して、この足場用ブラケットに足場板Ｆａを載置する。
【００２１】
さらに、この発明の足場用ブラケットに安全ネットＮを装着する場合には、図６に示したように、前記スライド支持体６の先端部６ａに設けた係止体７に、安全ネットＮの端部を係止すればよい。
【００２２】
また、この発明の足場用ブラケットは、前記足場板Ｆａが工事の状況で不要となった場合には、図３に示したように、スライド支持体６を水平支持体２内に挿入した状態にし、止ボルト１１によりスライド支持体６をこの状態で止着し、水平支持体２の先端部２ｂを上方向に回動させる。すると、傾斜体３が上方向に回動しながら引き上げられ、傾斜体３の基端部３ａが連結体１のスリット孔５の下部から上部に移動する。そして、水平支持体２の基端部２ａと傾斜体３の基端部３ａをそれぞれ連結体１のスリット孔５の上部から下部に移動させると、この発明の足場用ブラケットは、図４に示したような、折り畳まれた状態となる。そして、この折り畳まれた状態で足場用ブラケットを縦パイプＰから取り外せばよいが、工事が終了するまで縦パイプＰに取り付けたままにしておいても、折り畳まれた状態であるので邪魔になることはない。そして、工事が終了してから、他の工事現場等に搬送する前に、この足場用ブラケットを縦パイプＰから取り外せばよい。
【００２３】
【発明の効果】
この発明の足場用ブラケットは、以上に述べたように構成されており、仮設用の足場等に足場板を載置することができると共に、安全ネットを装着することができるので、非常に便利なものとなり、また足場板の不要時には邪魔にならないようにすることができ、しかも他の工事現場等に搬送する場合に嵩低く折り畳むことができるものとなったので、非常に搬送し易いものとなった。
【図面の簡単な説明】
【図１】この発明の足場用ブラケットの一実施形態を示す側面図である。
【図２】図１に示すこの発明の足場用ブラケットの平面図である。
【図３】図１に示すこの発明の足場用ブラケットの折り畳み途中の状態を示す側面図である。
【図４】図１に示すこの発明の足場用ブラケットを折り畳んだ状態を示す側面図である。
【図５】この発明の足場用ブラケットの使用状態を示す側面図である。
【図６】この発明の足場用ブラケットの使用状態を示す斜視図である。
【図７】従来の足場用ブラケットの使用状態を示す側面図である。
【図８】従来の安全ネット用ブラケットの斜視図である。
【図９】従来の安全ネット用ブラケットの側面図である。
【符号の説明】
１  連結体
１ａ  上端部
２  水平支持体
２ａ  基端部
２ｂ  先端部
３  傾斜体
３ａ  基端部
３ｂ  先端部
４  クランプ
５  スリット孔
６  スライド支持体
６ａ  先端部
６ｂ  胴部
７  係止体
８  支持部材
Ｆ  足場
Ｐ  縦パイプ
Ｎ  安全ネット
【図１】
2004238813.tif 000003
【図２】
2004238813.tif 000004
【図３】
2004238813.tif 000005
【図４】
2004238813.tif 000006
【図５】
2004238813.tif 000007
【図６】
2004238813.tif 000008
【図７】
2004238813.tif 000009
【図８】
2004238813.tif 000010
【図９】
2004238813.tif 000011